(57)【要約】本開示のある態様は、アクセス・ポイントへフィードバック・メッセージを送信することを提案する。このフィードバックは、ビームフォーミング拡張フィールドを備えうる。これは、局のトーン毎の信号対雑音比を伝送しうる。ある態様の場合、トーン毎のＳＮＲを送信する局は、シングル・ユーザ（ＳＵ）対応デバイスでありうる。ある態様の場合、局は、最大尤度（ＭＬ）受信機を有しているか否かをアクセス・ポイントへ示しうる。
2013543351.tif 000002
【特許請求の範囲】
【請求項１】
無線通信のための装置であって、
フィードバックを求める要求を受信するように構成された受信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備える装置。
【請求項２】
前記ＢＦ拡張フィールドは、トーン毎の信号対雑音比（ＳＮＲ）値を備える、請求項１に記載の装置。
【請求項３】
シングル・ユーザ（ＳＵ）送信のみを受信することが可能な請求項１に記載の装置。
【請求項４】
前記回路は、前記装置がシングル・ユーザ（ＳＵ）送信のみを受信することが可能であることを示すインジケーションとして、前記ＢＦ拡張ビットを、非ＢＦ拡張フィールドを示す値に設定するように構成された、請求項３に記載の装置。
【請求項５】
前記装置は、前記フィードバック・レポート・フレームが、トーン毎の信号対雑音比（ＳＮＲ）値を備えるＢＦ拡張フィールドを備えることを示すように、前記少なくとも１つのＢＦ拡張ビットを設定するように構成された、請求項１に記載の装置。
【請求項６】
前記フィードバックを求める要求は、マルチ・ユーザ（ＭＵ）タイプのフィードバックを備える、請求項１に記載の装置。
【請求項７】
前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、請求項１に記載の装置。
【請求項８】
マルチ・ユーザ（ＭＵ）送信を受信することが可能な請求項７に記載の装置。
【請求項９】
無線通信のための装置であって、
フィードバックを求める要求を送信するように構成された送信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信するように構成された受信機と、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理するように構成された回路と、
を備える装置。
【請求項１０】
前記ＢＦ拡張フィールドは、トーン毎の信号対雑音比（ＳＮＲ）値を備える、請求項９に記載の装置。
【請求項１１】
前記回路はさらに、前記応答を送信したデバイスへのビームフォーミング送信を制御するために、前記トーン毎のＳＮＲ値を利用するように構成された、請求項１０に記載の装置。
【請求項１２】
前記少なくとも１つのＢＦ拡張ビットは、前記フィードバック・レポート・フレームが、トーン毎の信号対雑音比（ＳＮＲ）値を備えるＢＦ拡張フィールドを備えていることを示す、請求項９に記載の装置。
【請求項１３】
前記フィードバックを求める要求は、マルチ・ユーザ（ＭＵ）タイプのフィードバックを備える、請求項９に記載の装置。
【請求項１４】
前記フィードバックを求める要求は、シングル・ユーザ（ＳＵ）タイプのフィードバックを備える、請求項９に記載の装置。
【請求項１５】
無線通信のための装置であって、
ビームフォームされている場合にパフォーマンスが低下する少なくとも１つの受信機を、前記装置が備えていることを示す、少なくとも１つのビットを備えるメッセージを生成するように構成された回路と、
前記メッセージを送信するように構成された送信機と、
を備える装置。
【請求項１６】
前記少なくとも１つのビットは、機能ビットを備える、請求項１５に記載の装置。
【請求項１７】
前記少なくとも１つのビットは、複数入力複数出力（ＭＩＭＯ）制御フィールドのビットを備える、請求項１５に記載の装置。
【請求項１８】
前記装置へ送信している場合、前記少なくとも１つのビットは、前記メッセージを受信した送信元のデバイスに対して、ビームフォーミング（ＢＦ）を控えさせる、請求項１５に記載の装置。
【請求項１９】
前記受信機は、最大尤度（ＭＬ）受信機を備える、請求項１５に記載の装置。
【請求項２０】
前記回路は、前記装置へ送信している場合、送信機に対して、ビームフォーミングを利用することをやめさせるための少なくとも１つの受信機を前記装置が備えていることを示す、少なくとも１つのビットを備えるメッセージを生成するように構成された、請求項１５に記載の装置。
【請求項２１】
無線通信のための装置であって、
ビームフォームされている場合にパフォーマンスが低下する少なくとも１つの受信機を、デバイスが備えていることを示す、少なくとも１つのビットを備えるメッセージを、前記デバイスから受信するように構成された受信機と、
前記ビットを検出することに応じて、前記デバイスへ送信する場合に、ビームフォーミング（ＢＦ）を控えるように構成された回路と、
を備える装置。
【請求項２２】
前記少なくとも１つのビットは、機能ビットを備える、請求項２１に記載の装置。
【請求項２３】
前記少なくとも１つのビットは、複数入力複数出力（ＭＩＭＯ）制御フィールドのビットを備える、請求項２１に記載の装置。
【請求項２４】
前記メッセージを受信する前に、ビームフォーミングを用いて前記デバイスへ送信するように構成された、請求項２１に記載の装置。
【請求項２５】
無線通信のための方法であって、
フィードバックを求める要求を受信することと、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成することと、
前記フィードバック・レポート・フレームを送信することと、
を備える方法。
【請求項２６】
前記ＢＦ拡張フィールドは、トーン毎の信号対雑音比（ＳＮＲ）値を備える、請求項２５に記載の方法。
【請求項２７】
シングル・ユーザ（ＳＵ）送信のみを受信することが可能な動作を実行する請求項２５に記載の方法。
【請求項２８】
前記装置がシングル・ユーザ（ＳＵ）送信のみを受信することが可能であることを示すインジケーションとして、前記ＢＦ拡張ビットが、非ＢＦ拡張フィールドを示す値に設定される、請求項２７に記載の方法。
【請求項２９】
前記フィードバック・レポート・フレームが、トーン毎の信号対雑音比（ＳＮＲ）値を備えるＢＦ拡張フィールドを備えることを示すように、前記ＢＦ拡張ビットが設定される、請求項２５に記載の方法。
【請求項３０】
前記フィードバックを求める要求は、マルチ・ユーザ（ＭＵ）タイプのフィードバックを備える、請求項２５に記載の方法。
【請求項３１】
前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、請求項２５に記載の方法。
【請求項３２】
マルチ・ユーザ（ＭＵ）送信を受信することが可能な方法を実行する、請求項３１に記載の方法。
【請求項３３】
無線通信のための方法であって、
フィードバックを求める要求を送信することと、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信することと、
前記フィードバック・レポート・フレームが前記ＢＦ拡張フィールドを含んでいることを、前記少なくとも１つのＢＦ拡張ビットが示しているか否かを判定し、示していると判定された場合、前記ＢＦ拡張フィールドを処理することと、
を備える方法。
【請求項３４】
前記ＢＦ拡張フィールドは、トーン毎の信号対雑音比（ＳＮＲ）値を備える、請求項３３に記載の方法。
【請求項３５】
前記応答を送信したデバイスへのビームフォーミング送信を制御するために、前記トーン毎のＳＮＲ値を利用すること、をさらに備える請求項３４に記載の方法。
【請求項３６】
前記少なくとも１つのＢＦ拡張ビットは、前記フィードバック・レポート・フレームが、トーン毎の信号対雑音比（ＳＮＲ）値を備えるＢＦ拡張フィールドを備えていることを示す、請求項３３に記載の方法。
【請求項３７】
前記フィードバックを求める要求は、マルチ・ユーザ（ＭＵ）タイプのフィードバックを備える、請求項３３に記載の方法。
【請求項３８】
前記フィードバックを求める要求は、シングル・ユーザ（ＳＵ）タイプのフィードバックを備える、請求項３３に記載の方法。
【請求項３９】
無線通信のための方法であって、
ビームフォームされている場合にパフォーマンスが低下する少なくとも１つの受信機を、装置が備えていることを示す、少なくとも１つのビットを備えるメッセージを生成することと、
前記メッセージを送信することと、
を備える方法。
【請求項４０】
前記少なくとも１つのビットは、機能ビットを備える、請求項３９に記載の方法。
【請求項４１】
前記少なくとも１つのビットは、複数入力複数出力（ＭＩＭＯ）制御フィールドのビットを備える、請求項３９に記載の方法。
【請求項４２】
前記装置へ送信している場合、前記少なくとも１つのビットは、前記メッセージを受信した送信元のデバイスに対して、ビームフォーミング（ＢＦ）を控えさせる、請求項３９に記載の方法。
【請求項４３】
前記受信機は、最大尤度（ＭＬ）受信機を備える、請求項３９に記載の方法。
【請求項４４】
前記装置へ送信している場合、送信機に対して、ビームフォーミングを利用することをやめさせるために、少なくとも１つの受信機を前記装置が備えていることを示す、少なくとも１つのビットを備えるメッセージが生成される、請求項３９に記載の方法。
【請求項４５】
無線通信のための方法であって、
ビームフォームされている場合にパフォーマンスが低下する少なくとも１つの受信機を、デバイスが備えていることを示す、少なくとも１つのビットを備えるメッセージを、前記デバイスから受信することと、
前記ビットを検出することに応じて、前記デバイスに送信する場合に、ビームフォーミング（ＢＦ）を控えることと、
を備える方法。
【請求項４６】
前記少なくとも１つのビットは、機能ビットを備える、請求項４５に記載の方法。
【請求項４７】
前記少なくとも１つのビットは、複数入力複数出力（ＭＩＭＯ）制御フィールドのビットを備える、請求項４５に記載の方法。
【請求項４８】
前記メッセージを受信する前に、ビームフォーミングを用いて前記デバイスへ送信すること、をさらに備える請求項４５に記載の方法。
【請求項４９】
無線通信のための装置であって、
フィードバックを求める要求を受信する手段と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成する手段と、
前記フィードバック・レポート・フレームを送信する手段と、
を備える装置。
【請求項５０】
前記ＢＦ拡張フィールドは、トーン毎の信号対雑音比（ＳＮＲ）値を備える、請求項４９に記載の装置。
【請求項５１】
シングル・ユーザ（ＳＵ）送信のみを受信することが可能な請求項４９に記載の装置。
【請求項５２】
前記装置がシングル・ユーザ（ＳＵ）送信のみを受信することが可能であることを示すインジケーションとして、前記ＢＦ拡張ビットが、非ＢＦ拡張フィールドを示す値に設定される、請求項５１に記載の装置。
【請求項５３】
前記フィードバック・レポート・フレームが、トーン毎の信号対雑音比（ＳＮＲ）値を備えるＢＦ拡張フィールドを備えることを示すように、前記ＢＦ拡張ビットが設定される、請求項４９に記載の装置。
【請求項５４】
前記フィードバックを求める要求は、マルチ・ユーザ（ＭＵ）タイプのフィードバックを備える、請求項４９に記載の装置。
【請求項５５】
前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、請求項４９に記載の装置。
【請求項５６】
マルチ・ユーザ（ＭＵ）送信を受信することが可能な請求項５５に記載の装置。
【請求項５７】
無線通信のための装置であって、
フィードバックを求める要求を送信する手段と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信する手段と、
前記フィードバック・レポート・フレームが前記ＢＦ拡張フィールドを含んでいることを、前記少なくとも１つのＢＦ拡張ビットが示しているか否かを判定し、示していると判定された場合、前記ＢＦ拡張フィールドを処理する手段と、
を備える装置。
【請求項５８】
前記ＢＦ拡張フィールドは、トーン毎の信号対雑音比（ＳＮＲ）値を備える、請求項５７に記載の装置。
【請求項５９】
前記応答を送信したデバイスへのビームフォーミング送信を制御するために、前記トーン毎のＳＮＲ値を利用する手段、をさらに備える請求項５８に記載の装置。
【請求項６０】
前記少なくとも１つのＢＦ拡張ビットは、前記フィードバック・レポート・フレームが、トーン毎の信号対雑音比（ＳＮＲ）値を備えるＢＦ拡張フィールドを備えていることを示す、請求項５７に記載の装置。
【請求項６１】
前記フィードバックを求める要求は、マルチ・ユーザ（ＭＵ）タイプのフィードバックを備える、請求項５７に記載の装置。
【請求項６２】
前記フィードバックを求める要求は、シングル・ユーザ（ＳＵ）タイプのフィードバックを備える、請求項５７に記載の装置。
【請求項６３】
無線通信のための装置であって、
ビームフォームされている場合にパフォーマンスが低下する少なくとも１つの受信機を、前記装置が備えていることを示す、少なくとも１つのビットを備えるメッセージを生成する手段と、
前記メッセージを送信する手段と、
を備える装置。
【請求項６４】
前記少なくとも１つのビットは、機能ビットを備える、請求項６３に記載の装置。
【請求項６５】
前記少なくとも１つのビットは、複数入力複数出力（ＭＩＭＯ）制御フィールドのビットを備える、請求項６３に記載の装置。
【請求項６６】
前記装置へ送信している場合、前記少なくとも１つのビットは、前記メッセージを受信した送信元のデバイスに対して、ビームフォーミング（ＢＦ）を控えさせる、請求項６３に記載の装置。
【請求項６７】
前記受信機は、最大尤度（ＭＬ）受信機を備える、請求項６３に記載の装置。
【請求項６８】
前記装置へ送信している場合、送信機に対して、ビームフォーミングを利用することをやめさせるために、少なくとも１つの受信機を前記装置が備えていることを示す、少なくとも１つのビットを備えるメッセージが生成される、請求項６３に記載の装置。
【請求項６９】
無線通信のための装置であって、
ビームフォームされている場合にパフォーマンスが低下する少なくとも１つの受信機を、デバイスが備えていることを示す、少なくとも１つのビットを備えるメッセージを前記デバイスから受信する手段と、
前記ビットを検出することに応じて、前記デバイスに送信する場合に、ビームフォーミング（ＢＦ）を控える手段と、
を備える装置。
【請求項７０】
前記少なくとも１つのビットは、機能ビットを備える、請求項６９に記載の装置。
【請求項７１】
前記少なくとも１つのビットは、複数入力複数出力（ＭＩＭＯ）制御フィールドのビットを備える、請求項６９に記載の装置。
【請求項７２】
前記メッセージを受信する前に、ビームフォーミングを用いて前記デバイスへ送信する手段、をさらに備える請求項６９に記載の装置。
【請求項７３】
無線通信のためのコンピュータ・プログラム製品であって、
フィードバックを求める要求を受信し、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成し、
前記フィードバック・レポート・フレームを送信する、
ように実行可能な命令群を備えるコンピュータ読取可能な媒体を備える、コンピュータ・プログラム製品。
【請求項７４】
無線通信のためのコンピュータ・プログラム製品であって、
フィードバックを求める要求を送信し、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信し、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理する、
ように実行可能な命令群を備えるコンピュータ読取可能な媒体を備える、コンピュータ・プログラム製品。
【請求項７５】
無線通信のためのコンピュータ・プログラム製品であって、
ビームフォームされている場合にパフォーマンスが低下する少なくとも１つの受信機を、この装置が備えていることを示す、少なくとも１つのビットを備えるメッセージを生成し、
前記メッセージを送信する、
ように実行可能な命令群を備えるコンピュータ読取可能な媒体を備える、コンピュータ・プログラム製品。
【請求項７６】
無線通信のためのコンピュータ・プログラム製品であって、
ビームフォームされている場合にパフォーマンスが低下する少なくとも１つの受信機を、デバイスが備えていることを示す、少なくとも１つのビットを備えるメッセージを前記デバイスから受信し、
前記ビットを検出することに応じて、前記デバイスに送信する場合に、ビームフォーミング（ＢＦ）を控える、
ように実行可能な命令群を備えるコンピュータ読取可能な媒体を備える、コンピュータ・プログラム製品。
【請求項７７】
アクセス端末であって、
少なくとも１つのアンテナと、
フィードバックを求める要求を、前記少なくとも１つのアンテナを介して受信するように構成された受信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備えるアクセス端末。
【請求項７８】
アクセス・ポイントであって、
少なくとも１つのアンテナと、
フィードバックを求める要求を、前記少なくとも１つのアンテナを介して送信するように構成された送信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信するように構成された受信機と、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理するように構成された回路と、
を備えるアクセス・ポイント。
【請求項７９】
アクセス端末であって、
少なくとも１つのアンテナと、
ビームフォームされている場合にパフォーマンスが低下する少なくとも１つの受信機を、前記装置が備えていることを示す、少なくとも１つのビットを備えるメッセージを生成するように構成された回路と、
前記少なくとも１つのアンテナを介して前記メッセージを送信するように構成された送信機と、
を備えるアクセス端末。
【請求項８０】
アクセス・ポイントであって、
少なくとも１つのアンテナと、
ビームフォームされている場合にパフォーマンスが低下する少なくとも１つの受信機を、デバイスが備えていることを示す、少なくとも１つのビットを備えるメッセージを、前記少なくとも１つのアンテナを介して、前記デバイスから受信するように構成された受信機と、
前記ビットを検出することに応じて、前記デバイスへ送信する場合に、ビームフォーミング（ＢＦ）を控えるように構成された回路と、
を備えるアクセス・ポイント。
【発明の詳細な説明】
【関連出願に対する相互参照】
【０００１】
本願は、２０１０年１１月３日に出願され、参照によって本明細書に明確に組み込まれている米国仮特許出願６１／４０９，９０７（代理人整理番号１１０３４４Ｐ１）の利益を主張する。
【技術分野】
【０００２】
本開示のある態様は、一般に、無線通信に関し、さらに詳しくは、超高スループット（ＶＨＴ）無線システムのためのフィードバックをビームフォームするためのフォーマットを構築する方法に関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイント（ＡＰ）と通信することを可能にするための、異なるスキームが開発されている。複数入力複数出力（ＭＩＭＯ）技術は、次世代通信システムのためのポピュラーな技術として最近現れたこのような１つのアプローチを表す。
【０００４】
ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００５】
ＭＩＭＯシステムは、データ送信のために、複数（ＮＴ個）の送信アンテナと、複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００６】
単一のＡＰと複数のユーザ局（ＳＴＡ）とを備える無線ネットワークでは、アップリンク方向とダウンリンク方向との両方において、複数のチャネルにおいて、異なるＳＴＡへの同時送信が生じうる。このようなシステムには、多くのチャレンジがある。例えば、ＡＰは、例えばＩＥＥＥ  ８０１．１１ｎ／ａ／ｂ／ｇ規格またはＩＥＥＥ  ８０２．１１ａｃ（超高スループット（ＶＨＴ））規格のような異なる規格を用いて信号を送信しうる。受信機ＳＴＡは、送信パケットのプリアンブルに含まれる情報に基づいて、信号の送信モードを検出することができうる。
【発明の概要】
【０００７】
本開示のある態様は、無線通信のための装置を提供する。この装置は一般に、フィードバックを求める要求を受信するように構成された受信機と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成するように構成された回路と、フィードバック・レポート・フレームを送信するように構成された送信機と、を含む。
【０００８】
本開示のある態様は、無線通信のための装置を提供する。この装置は一般に、フィードバックを求める要求を送信するように構成された送信機と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信するように構成された受信機と、フィードバック・レポート・フレームがＢＦ拡張フィールドを含んでいることを、少なくとも１つのＢＦ拡張ビットが示しているか否かを判定し、示していると判定された場合、ＢＦ拡張フィールドを処理するように構成された回路と、を含む。
【０００９】
本開示のある態様は、無線通信のための装置を提供する。この装置は一般に、ビームフォームされている場合にパフォーマンスが低下する少なくとも１つの受信機を、この装置が備えていることを示す、少なくとも１つのビットを備えるメッセージを生成するように構成された回路と、このメッセージを送信するように構成された送信機と、を含む。
【００１０】
本開示のある態様は、無線通信のための装置を提供する。この装置は一般に、ビームフォームされている場合にパフォーマンスが低下する少なくとも１つの受信機を、デバイスが備えていることを示す、少なくとも１つのビットを備えるメッセージを、デバイスから受信するように構成された受信機と、このビットを検出することに応じて、デバイスへ送信する場合に、ビームフォーミング（ＢＦ）を控えるように構成された回路と、を含む。
【００１１】
本開示のある態様は、無線通信のための方法を提供する。この方法は一般に、フィードバックを求める要求を受信することと、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成することと、フィードバック・レポート・フレームを送信することと、を含む。
【００１２】
本開示のある態様は、無線通信のための方法を提供する。この方法は一般に、フィードバックを求める要求を送信することと、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信することと、フィードバック・レポート・フレームがＢＦ拡張フィールドを含んでいることを、少なくとも１つのＢＦ拡張ビットが示しているか否かを判定し、示していると判定された場合、ＢＦ拡張フィールドを処理することと、を含む。
【００１３】
本開示のある態様は、無線通信のための方法を提供する。この方法は一般に、ビームフォームされている場合にパフォーマンスが低下する少なくとも１つの受信機を、この装置が備えていることを示す、少なくとも１つのビットを備えるメッセージを生成することと、このメッセージを送信することと、を含む。
【００１４】
本開示のある態様は、無線通信のための方法を提供する。この方法は一般に、ビームフォームされている場合にパフォーマンスが低下する少なくとも１つの受信機を、デバイスが備えていることを示す、少なくとも１つのビットを備えるメッセージをデバイスから受信することと、ビットを検出することに応じて、デバイスに送信する場合に、ビームフォーミング（ＢＦ）を控えることと、を含む。
【００１５】
本開示のある態様は、無線通信のための装置を提供する。この装置は一般に、フィードバックを求める要求を受信する手段と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成する手段と、フィードバック・レポート・フレームを送信する手段と、を含む。
【００１６】
本開示のある態様は、無線通信のための装置を提供する。この装置は一般に、フィードバックを求める要求を送信する手段と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信する手段と、フィードバック・レポート・フレームがＢＦ拡張フィールドを含んでいることを、少なくとも１つのＢＦ拡張ビットが示しているか否かを判定し、示していると判定された場合、ＢＦ拡張フィールドを処理する手段と、を含む。
【００１７】
本開示のある態様は、無線通信のための装置を提供する。この装置は一般に、ビームフォームされている場合にパフォーマンスが低下する少なくとも１つの受信機を、この装置が備えていることを示す、少なくとも１つのビットを備えるメッセージを生成する手段と、このメッセージを送信する手段と、を含む。
【００１８】
本開示のある態様は、無線通信のための装置を提供する。この装置は一般に、ビームフォームされている場合にパフォーマンスが低下する少なくとも１つの受信機を、デバイスが備えていることを示す、少なくとも１つのビットを備えるメッセージをデバイスから受信する手段と、ビットを検出することに応じて、デバイスに送信する場合に、ビームフォーミング（ＢＦ）を控える手段と、を含む。
【００１９】
本開示のある実施形態は、命令群を備えるコンピュータ読取可能な媒体を備える、無線通信のためのコンピュータ・プログラム製品を提供する。これら命令群は一般に、フィードバックを求める要求を受信し、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成し、フィードバック・レポート・フレームを送信する、ように実行可能である。
【００２０】
本開示のある実施形態は、命令群を備えるコンピュータ読取可能な媒体を備える、無線通信のためのコンピュータ・プログラム製品を提供する。これら命令群は一般に、フィードバックを求める要求を送信することと、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信し、フィードバック・レポート・フレームがＢＦ拡張フィールドを含んでいることを、少なくとも１つのＢＦ拡張ビットが示しているか否かを判定し、示していると判定された場合、ＢＦ拡張フィールドを処理する、ように実行可能である。
【００２１】
本開示のある実施形態は、命令群を備えるコンピュータ読取可能な媒体を備える、無線通信のためのコンピュータ・プログラム製品を提供する。これら命令群は一般に、ビームフォームされている場合にパフォーマンスが低下する少なくとも１つの受信機を、この装置が備えていることを示す、少なくとも１つのビットを備えるメッセージを生成し、このメッセージを送信する、ように実行可能である。
【００２２】
本開示のある実施形態は、命令群を備えるコンピュータ読取可能な媒体を備える、無線通信のためのコンピュータ・プログラム製品を提供する。これら命令群は一般に、ビームフォームされている場合にパフォーマンスが低下する少なくとも１つの受信機を、デバイスが備えていることを示す、少なくとも１つのビットを備えるメッセージをデバイスから受信し、ビットを検出することに応じて、デバイスに送信する場合に、ビームフォーミング（ＢＦ）を控える、ように実行可能である。
【００２３】
本開示のある態様は、アクセス端末を提供する。このアクセス端末は一般に、少なくとも１つのアンテナと、フィードバックを求める要求を、少なくとも１つのアンテナを介して受信するように構成された受信機と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成するように構成された回路と、フィードバック・レポート・フレームを送信するように構成された送信機と、を含む。
【００２４】
本開示のある態様は、アクセス・ポイントを提供する。アクセス・ポイントは一般に、少なくとも１つのアンテナと、フィードバックを求める要求を、少なくとも１つのアンテナを介して送信するように構成された送信機と、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信するように構成された受信機と、フィードバック・レポート・フレームがＢＦ拡張フィールドを含んでいることを、少なくとも１つのＢＦ拡張ビットが示しているか否かを判定し、示していると判定された場合、ＢＦ拡張フィールドを処理するように構成された回路と、を含む。
【００２５】
本開示のある態様は、アクセス端末を提供する。アクセス端末は一般に、少なくとも１つのアンテナと、ビームフォームされている場合にパフォーマンスが低下する少なくとも１つの受信機を、この装置が備えていることを示す、少なくとも１つのビットを備えるメッセージを生成するように構成された回路と、少なくとも１つのアンテナを介してこのメッセージを送信するように構成された送信機と、を含む。
【００２６】
本開示のある態様は、アクセス・ポイントを提供する。アクセス・ポイントは一般に、少なくとも１つのアンテナと、ビームフォームされている場合にパフォーマンスが低下する少なくとも１つの受信機を、デバイスが備えていることを示す、少なくとも１つのビットを備えるメッセージを、少なくとも１つのアンテナを介して、デバイスから受信するように構成された受信機と、このビットを検出することに応じて、デバイスへ送信する場合に、ビームフォーミング（ＢＦ）を控えるように構成された回路と、を含む。
【図面の簡単な説明】
【００２７】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークを例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがう、別のフィードバック・タイプのパフォーマンス結果の例を例示する。
【図５】図５は、本開示のある態様にしたがうフィードバック・フォーマットの例を例示する。
【図６】図６は、本開示のある態様にしたがって、基地局によって実行されうるビームフォーミング拡張フィールドを備えるフィードバック・メッセージを送信する動作の例を例示する。
【図６Ａ】図６Ａは、図６の動作の例を実行することができる構成要素の例を例示する。
【図７】図７は、本開示のある態様にしたがって、アクセス・ポイントによって実行されうるビームフォーミング拡張フィールドを備えるフィードバック・メッセージを受信する動作の例を例示する。
【図７Ａ】図７Ａは、図７の動作の例を実行することができる構成要素の例を例示する。
【図８】図８は、本開示のある態様にしたがって、局における最大尤度受信機の存在を示すインジケーションを送信するための動作の例を例示する。
【図８Ａ】図８Ａは、図８の動作の例を実行することができる構成要素の例を例示する。
【図９】図９は、本開示のある態様にしたがって、アクセス・ポイントによって実行されうる、装置における最大尤度受信機の存在を示すインジケーションを受信するための動作の例を例示する。
【図９Ａ】図９Ａは、図９の動作の例を実行することができる構成要素の例を例示する。
【発明を実施するための形態】
【００２８】
本開示のさまざまな態様は、添付図面を参照して以下により十分に記載される。しかしながら、本開示は、異なる多くの形態で具体化され、本開示を通じて示されたどのような具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２９】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００３０】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００３１】
（典型的な無線通信システム）  
本明細書に記載された技術は、シングル・キャリア送信に基づく通信システムを含む、さまざまなブロードバンド無線通信システムのために使用されうる。本明細書で開示された態様は、例えば、ミリ・メートル波信号を含む超広帯域（ＵＭＢ）信号を適用するシステムに有利でありうる。しかしながら、他の符号化信号が同様の利点から利益を得るので、本開示は、このようなシステムに限定されるとは意図されていない。
【００３２】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００３３】
例えば、アクセス端末（“ＡＴ”）は、アクセス端末、加入者局、加入者ユニット、モバイル端末、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００３４】
図１は、アクセス・ポイントおよびユーザ端末を備えた多元接続ＭＩＭＯシステム１００を例示する。簡略のために、図１には、１つのアクセス・ポイント１１０しか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。ユーザ端末は、例えばセルラ電話、携帯情報端末（ＰＤＡ）、ハンドヘルド・デバイス、無線モデム、ラップトップ・コンピュータ、パーソナル・コンピュータ等のような無線デバイスでありうる。
【００３５】
アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００３６】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｎｕ個の選択されたユーザ端末１２０のセットは、集合的に、ダウンリンク送信のための複数の出力と、アップリンク送信のための複数の入力とを示す。ある場合では、Ｎｕ個のユーザ端末のためのデータ・シンボル・ストリームが、ある手段によって、符号、周波数、または時間で多重化されていない場合、Ｎａｐ≧Ｎｕ≧１を有することが所望されうる。データ・シンボル・ストリームが、ＣＤＭＡで異なる符号チャネルを用いて、ＯＦＤＭでサブ帯域の別のセットを用いて、等で多重化されうるのであれば、Ｎｕは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｎｕ個の選択されたユーザ端末は、同じまたは異なる数のアンテナを有しうる。
【００３７】
ＭＩＭＯシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ＭＩＭＯシステム１００は、６０ＧＨｚ帯域で動作する高速無線ローカル・エリア・ネットワーク（ＷＬＡＮ）を表しうる。
【００３８】
図２は、ＭＩＭＯシステム１００におけるアクセス・ポイント１１０と２つのユーザ端末１２０ｍ，１２０ｘのブロック図を示す。アクセス・ポイント１１０は、Ｎａｐ個のアンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、周波数チャネルを介してデータを送信することが可能な、独立して動作する装置またはデバイスであり、「受信エンティティ」は、周波数チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３９】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信のために、Ｎｕｔ，ｍ個のアップリンク信号を提供する。
【００４０】
Ｎｕｐ個のユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００４１】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、連続干渉除去（ＳＩＣ）、またはその他いくつかの技術にしたがって実行される。復元された各アップリンク・データ・シンボル・ストリーム｛ｓｕｍ，ｍ｝は、それぞれのユーザ端末によって送信されたデータ・シンボル・ストリーム｛ｓｕｍ，ｍ｝の推定値である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００４２】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて空間処理を実行し、Ｎａｐ個のアンテナのために、Ｎａｐ個の送信シンボルを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のため、Ｎａｐ個のダウンリンク信号を提供する。
【００４３】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００４４】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００４５】
図３は、システム１００内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００４６】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４７】
無線デバイス３０２は、無線デバイス３０２と遠隔位置との間でのデータの送信および受信を可能にする送信機３１０および受信機３１２を含むことができるハウジング２０８をも含みうる。送信機３１０および受信機３１２は、トランシーバ３１４に結合されうる。複数の送信アンテナ３１６が、ハウジング３０８に接続され、トランシーバ３１４に電気的に接続されている。無線デバイス３０２はまた、（図示しない）複数の送信機、複数の受信機、および複数のトランシーバを含みうる。
【００４８】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４９】
無線デバイス３０２のさまざまな構成要素を、データ・バスに加えて電力バス、制御信号バス、およびステータス信号バスを含みうるバス・システム３２２によってともに結合することができる。
【００５０】
本開示のある態様は、アクセス・ポイントへフィードバック・メッセージを送信することを提案する。フィードバックは、トーン毎の局の信号対雑音比を伝送するビームフォーミング拡張フィールドを備えうる。ある態様の場合、トーン毎のＳＮＲを送信する局は、シングル・ユーザ（ＳＵ）対応デバイスでありうる。ある態様の場合、局は、最大尤度（ＭＬ）受信機を有しているか否かを、アクセス・ポイントへ示しうる。本明細書で使用されるように、ＭＬ受信機は一般に、最大尤度検出（ＭＬＤ）を実行する受信機を称する。
【００５１】
本開示のある態様は、シングル・ユーザ対応デバイスによってアクセス・ポイントへトーン毎の信号対雑音比を送信するための方法を示す。ＡＰにおいて、トーン毎のＳＮＲを知っていることは、ＳＵ送信ビームフォーミング送信に役立つ。例えば、トーン毎のＳＮＲは、送信アンテナと受信アンテナとの数が、空間ストリームの数に等しい場合（例えば、Ｎｔｘ＝Ｎｒｘ＝Ｎｓｓ）、最小平均平方誤差（ＭＭＳＥ）受信機およびゼロ・フォーシング（ＺＦ）受信機を助けうる。この条件は、ＩＥＥＥ  ８０２．１１ａｃに準拠しうるシステムにおける等しい変調および符号化スキーム（ＭＣＳ）制約によりうる。
【００５２】
図４は、本開示のある態様にしたがう、別のフィードバック・タイプのパフォーマンス結果４００の例を例示する。ＡＰには４つの送信アンテナが、１または複数のユーザ局（ＳＴＡ）には４つの受信アンテナが存在しうる。そして、６４−ＱＡＭ変調が、送信前に適用され、符号化レートは、５／６でありうる。
【００５３】
例示されるように、ＭＭＳＥ受信機を有する４×４を表すパイロット４１０は、オープン・ループ（曲線４５０）と比較して、パフォーマンス利得を有する。Ｖのみを備えるビームフォーミング（ＢＦ）（曲線４４０）は、良好に動作しないかもしれない。一方、Ｖ＋Ｓを備えるＭＭＳＥプリコーディング（曲線４３０）は、パフォーマンス利得を与える。Ｖ行列は、無線チャネル行列Ｈの特異値分解（ＳＶＤ）を用いて取得されうる。例えば、行列Ｖは、無線チャネルの右固有ベクトルの行列を備えうる。あるいは、行列Ｖは、無線チャネルの左固有ベクトルの行列を備えうる。フィードバックは、Ｖ行列の１または複数の列と、Ｓ行列の１または複数の列とを備えうる。ここで、行列Ｓは、チャネル行列ＨのＳＶＤを用いて取得されうる。例えば、行列Ｓは、無線チャネルの固有値の行列を備えうる。
【００５４】
ある態様は、ＳＵをサポートするデバイスが、必要であれば向上されたパフォーマンスを得るために、アクセス・ポイントへトーン毎のＳＮＲフィールドを送信することを可能にする方法を提案する。しかしながら、ＳＵデバイスは、トーン毎のＳＮＲを送信することを選択しないかもしれない。この提案された方法によって、（例えば、ビームフォームされる）デバイスは、トーン毎のＳＮＲを送信するか否かの決定を制御できるようになり、結果として、オーバヘッドに関し節約がなされる。
【００５５】
図５は、本開示のある態様にしたがうフィードバック・フォーマット５００の例を例示する。この構成５００は、フィードバックのＶＨＴ  ＭＩＭＯ制御フィールドを表わしうる。
【００５６】
ビット５０２（例えば、３ビット）は、行列Ｖまたは行列Ｈの列に対応し、ビット５０４（例えば、３ビット）は、行列Ｖまたは行列Ｈの行に対応しうる。ビット５０６（例えば、２ビット）は、帯域幅（ＢＷ）サイズに対応し、例えば、０の値は、２０ＭＨｚのＢＷサイズを示し、１の値は、４０ＭＨｚのＢＷサイズを示し、２の値は、８０ＭＨｚのＢＷサイズを示し、３の値は、１６０ＭＨｚのＢＷサイズを示しうる。ビット５０８（例えば、２ビット）は、トーン・グルーピングのためのＮｇパラメータ（ＣＳＩフィードバックのサンプリングに関するインジケーション）を備えうる。ここで、１の値はＮｇ＝２を示し、２の値はＮｇ＝３を示し、３の値はＮｇ＝４を示しうる。
【００５７】
ビット５１０（例えば、２ビット）は、例えば、Ｇｉｖｅｎの回転角度ψ、φ（これら角度の呼称は、ＩＥＥＥ  ８０２．１１ｎ無線通信規格と同じ）のためのビット分解能のようなコードブック情報を備えうる。ＢＦ拡張ビットは、ビット・フィールド５１２によって示されうる。ＢＦ拡張ビットは、フィードバックにＢＦ拡張フィールドが存在することを示しうる。
【００５８】
ある態様の場合、マルチ・ユーザ（ＭＵ）タイプのフィードバックが要求されていることが示されると、ＭＵ対応デバイスが、ＢＦ拡張フィールドを送信しうる。ある態様の場合、ＳＵ対応デバイスは、ＢＦ拡張フィールドを送信する場合も、送信しない場合もありうる。
【００５９】
ある態様の場合、ＢＦ拡張ビットが０に設定されている場合、フィードバック・メッセージは、ＢＦ拡張フィールドを含んでいない場合がありうる。さらに、ＢＦ拡張ビットが１に設定されている場合、フィードバック・メッセージは、ＢＦ拡張フィールドを含みうる。
【００６０】
ある態様の場合、ＭＵ−ＭＩＭＯを受信することが可能な局は、ＭＵタイプ・フィードバックが要求されたことが示されると、トーン毎のＳＮＲを含めることを要求されうる。ＭＵ−ＭＩＭＯを受信することができないか、または、ＳＵタイプのフィードバックを求める要求にしたがうことができない局は、フィードバック・メッセージでトーン毎のＳＮＲをレポートするか否かを決定しうる。
【００６１】
ある態様の場合、ＢＦ拡張フィールドは、各サブキャリアのＳＮＲ情報を伝送するために、ＶＨＴ圧縮ビームフォーミング・フレームによって使用されうる。ＢＦ拡張フィールドは、ＶＨＴ−ＭＩＭＯ制御フィールドにおけるＢＦ拡張ビットが１に設定されている場合にのみ、フィードバック・レポート・フィールド内に含まれうる。
【００６２】
図６は、本開示のある態様にしたがって、局によって実行されうるビームフォーミング拡張フィールドを備えるフィードバック・メッセージを送信する動作の例を例示する。６０２において、局は、フィードバックを求める要求を受信しうる。６０４において、局は、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを生成しうる。６０６において、局は、フィードバック・レポート・フレームを送信しうる。
【００６３】
図７は、本開示のある態様にしたがって、アクセス・ポイントによって実行されうるビームフォーミング拡張フィールドを備えるフィードバック・メッセージを受信する動作の例を例示する。７０２において、ＡＰは、フィードバックを求める要求を、局へ送信しうる。７０４において、ＡＰは、フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えたフィードバック・レポート・フレームを受信しうる。
【００６４】
ある態様の場合、最大尤度（ＭＬ）受信機を利用している局は、送信アンテナの数が、受信アンテナの数に等しく、空間ストリームの数に等しい場合（Ｎｔｘ＝Ｎｒｘ＝Ｎｓｓ）、オープン・ループ送信を好みうる。したがって、局は、ＭＬ受信機を有することをＡＰに通知しうる。例えば、局は、ＳＴＡがＭＬ受信機を有しているか否かをＡＰに伝えるために、“ＭＬビット”を送信しうる。ある態様の場合、ＭＬビットは、ＶＨＴ  ＭＩＭＯ制御フィールドの一部でありうるか、あるいは、機能ビットでありうる。
【００６５】
ある態様の場合、Ｎｔｘ＝Ｎｒｘ＝Ｎｓｓであり、ＭＬビットが１に設定されている場合には、ＡＰは常に、ビームフォームされた信号をデバイスへ送信しない。
【００６６】
図８は、本開示のある態様にしたがって、局における最大尤度受信機の存在を示すインジケーションを送信するための動作の例を例示する。局は、少なくとも１つの最大尤度（ＭＬ）受信機を備えうる。８０２において、局は、局が少なくとも１つのＭＬ受信機を備えていることを示す少なくとも１ビットを備えるメッセージを生成しうる。８０４において、局は、このメッセージを送信しうる。
【００６７】
図９は、本開示のある態様にしたがって、アクセス・ポイントによって実行されうる、装置における最大尤度受信機の存在を示すインジケーションを受信するための動作の例を例示する。９０２において、ＡＰは、装置が少なくとも１つのＭＬ受信機を備えていることを示す少なくとも１ビットを備えるメッセージを受信しうる。９０４において、ＡＰは、装置へ送信している場合、ビームフォーミング（ＢＦ）を控えうる。
【００６８】
本明細書に記載されているように、局は、フィードバック・メッセージ内のさまざまな情報を示すインジケーションを提供しうる。例えば、情報は、フィードバック・メッセージがビームフォーミング拡張フィールドを有することを示す（例えば、マルチ・ユーザ対応であればどのタイプの機能か、あるいは、そのような機能はなく、シングル・ユーザのみであるかを示す）インジケーション、または、ビームフォームされている場合にパフォーマンスが低下する受信機（例えば、ＭＬ受信機）を局が有していることを示すビットを含みうる。フィードバック・メッセージにおいてこのような情報を検出すると、アクセス・ポイントは、それにしたがって、どのように動作または処理するのかを決定しうる（例えば、貧弱なパフォーマンスを阻止するために、もしあれば、より詳細なビームフォーミング情報を処理するか、あるいは、デバイスへのビームフォーミングを控える）。
【００６９】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図６，７，８および９に例示された動作６００，７００，８００および９００は、図６Ａ，７Ａ，８Ａおよび９Ａに例示された動作６００Ａ，７００Ａ，８００Ａおよび９００Ａに対応する。
【００７０】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００７１】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７２】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能的手段によって実行されうる。
【００７３】
例えば、送信する手段は、例えば、ユーザ端末１２０の図２からの送信機２５４、または、無線デバイス３０２の図３からの送信機３１０のような送信機を備えうる。生成する手段は、例えば、ユーザ端末１２０の図２からのＴＸ空間プロセッサ２９０、または、無線デバイス３０２の図３からのプロセッサ３０４のような特定用途向け集積回路を備えうる。判定する手段は、例えば、ユーザ端末１２０の図２からのＴＸ空間プロセッサ２９０、または、無線デバイス３０２の図３からのプロセッサ３０４のような特定用途向け集積回路を備えうる。
【００７４】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７５】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００７６】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７７】
記載された機能は、ハードウェア、ソフトウェア、ファームウェア、またはこれら任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００７８】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００７９】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８０】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８１】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８２】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013543351.tif 000003
【図２】
2013543351.tif 000004
【図３】
2013543351.tif 000005
【図４】
2013543351.tif 000006
【図５】
2013543351.tif 000007
【図６】
2013543351.tif 000008
【図６Ａ】
2013543351.tif 000009
【図７】
2013543351.tif 000010
【図７Ａ】
2013543351.tif 000011
【図８】
2013543351.tif 000012
【図８Ａ】
2013543351.tif 000013
【図９】
2013543351.tif 000014
【図９Ａ】
2013543351.tif 000015
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
無線通信のための装置であって、
フィードバックを求める要求を受信するように構成された受信機と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備える装置。
【請求項２】
前記ＢＦ拡張フィールドは、ＯＦＤＭ送信のトーン毎の信号対雑音比（ＳＮＲ）値を備える、請求項１に記載の装置。
【請求項３】
シングル・ユーザ（ＳＵ）送信のみを受信することが可能な請求項１に記載の装置。
【請求項４】
前記回路は、前記装置がシングル・ユーザ（ＳＵ）送信のみを受信することが可能であることを示すインジケーションとして、前記ＢＦ拡張ビットを、非ＢＦ拡張フィールドを示す値に設定するように構成された、請求項３に記載の装置。
【請求項５】
前記装置は、前記フィードバック・レポート・フレームがＯＦＤＭ送信のトーン毎の信号対雑音比（ＳＮＲ）値を備えるＢＦ拡張フィールドを備えることを示すように、前記ＢＦ拡張ビットを設定するように構成された、請求項１に記載の装置。
【請求項６】
前記フィードバックを求める要求は、マルチ・ユーザ（ＭＵ）タイプのフィードバックを求める要求を備える、請求項１に記載の装置。
【請求項７】
前記ＢＦ拡張ビットは、前記フィードバックを求める要求がシングル・ユーザ（ＳＵ）タイプのフィードバックを求める要求を備えている場合、前記フィードバック・レポート・フレームがＢＦ拡張フィールドを含んでいないことを示す、請求項１に記載の装置。
【請求項８】
マルチ・ユーザ（ＭＵ）送信を受信することが可能な請求項７に記載の装置。
【請求項９】
無線通信のための装置であって、
フィードバックを求める要求を送信するように構成された送信機と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを受信するように構成された受信機と、
前記フィードバック・レポート・フレームがＢＦ拡張フィールドを含んでいることを前記ＢＦ拡張ビットが示しているか否かを判定し、示していると判定された場合、前記ＢＦ拡張フィールドを処理するように構成された回路と、
を備える装置。
【請求項１０】
前記ＢＦ拡張フィールドは、ＯＦＤＭ送信のトーン毎の信号対雑音比（ＳＮＲ）値を備える、請求項９に記載の装置。
【請求項１１】
前記回路はさらに、前記応答を送信したデバイスへのビームフォーミング送信を制御するために、前記トーン毎のＳＮＲ値を利用するように構成された、請求項１０に記載の装置。
【請求項１２】
前記ＢＦ拡張ビットは、前記フィードバック・レポート・フレームがＯＦＤＭ送信のトーン毎の信号対雑音比（ＳＮＲ）値を備えるＢＦ拡張フィールドを備えていることを示す、請求項９に記載の装置。
【請求項１３】
前記フィードバックを求める要求は、マルチ・ユーザ（ＭＵ）タイプのフィードバックを求める要求を備える、請求項９に記載の装置。
【請求項１４】
前記フィードバックを求める要求は、シングル・ユーザ（ＳＵ）タイプのフィードバックを求める要求を備える、請求項９に記載の装置。
【請求項１５】
無線通信のための装置であって、
ビームフォームされている場合にパフォーマンスが低下する少なくとも１つの受信機を前記装置が備えていることを示すビットを備えるメッセージを生成するように構成された回路と、ここで、前記ビットは、複数入力複数出力（ＭＩＭＯ）制御フィールドのビットである、
前記メッセージを送信するように構成された送信機と、
を備える装置。
【請求項１６】
前記ビットは、機能ビットを備える、請求項１５に記載の装置。
【請求項１７】
前記ビットは、前記メッセージを受信する送信デバイスに、前記装置に送信する際にビームフォーミング（ＢＦ）することを控えさせる、請求項１５に記載の装置。
【請求項１８】
前記受信機は、最大尤度（ＭＬ）受信機を備える、請求項１５に記載の装置。
【請求項１９】
前記回路は、前記装置に送信する際にビームフォーミングを利用することを送信機にさせないようにする少なくとも１つの受信機を前記装置が備えていることを示すビットを備えるメッセージを生成するように構成された、請求項１５に記載の装置。
【請求項２０】
無線通信のための装置であって、
デバイスから、ビームフォームされている場合にパフォーマンスが低下する少なくとも１つの受信機を前記デバイスが備えていることを示すビットを備えるメッセージを受信するように構成された受信機と、ここで、前記ビットは、複数入力複数出力（ＭＩＭＯ）制御フィールドのビットである、
前記ビットを検出することに応答して、前記デバイスに送信する際にビームフォーミング（ＢＦ）を控えるように構成された回路と、
を備える装置。
【請求項２１】
前記ビットは、機能ビットである、請求項２０に記載の装置。
【請求項２２】
前記メッセージを受信する前に、ビームフォーミングを用いて前記デバイスへ送信するように構成された、請求項２０に記載の装置。
【請求項２３】
無線通信のための方法であって、
フィードバックを求める要求を受信することと、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを生成することと、
前記フィードバック・レポート・フレームを送信することと、
を備える方法。
【請求項２４】
前記ＢＦ拡張フィールドは、ＯＦＤＭ送信のトーン毎の信号対雑音比（ＳＮＲ）値を備える、請求項２３に記載の方法。
【請求項２５】
前記動作を実行する装置がシングル・ユーザ（ＳＵ）送信のみを受信可能である、請求項２３に記載の方法。
【請求項２６】
前記ＢＦ拡張ビットが、前記装置がシングル・ユーザ（ＳＵ）送信のみを受信することが可能であることを示すインジケーションとして、非ＢＦ拡張フィールドを示す値に設定される、請求項２５に記載の方法。
【請求項２７】
前記ＢＦ拡張ビットが、前記フィードバック・レポート・フレームがＯＦＤＭ送信のトーン毎の信号対雑音比（ＳＮＲ）値を備えるＢＦ拡張フィールドを備えることを示すように設定される、請求項２３に記載の方法。
【請求項２８】
前記フィードバックを求める要求は、マルチ・ユーザ（ＭＵ）タイプのフィードバックを求める要求を備える、請求項２３に記載の方法。
【請求項２９】
前記ＢＦ拡張ビットは、前記フィードバックを求める要求がシングル・ユーザ（ＳＵ）タイプのフィードバックを求める要求を備えている場合、前記フィードバック・レポート・フレームがＢＦ拡張フィールドを含んでいないことを示す、請求項２３に記載の方法。
【請求項３０】
前記方法を実行する装置がマルチ・ユーザ（ＭＵ）送信を受信可能である、請求項２９に記載の方法。
【請求項３１】
無線通信のための方法であって、
フィードバックを求める要求を送信することと、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを受信することと、
前記ＢＦ拡張ビットが前記フィードバック・レポート・フレームがＢＦ拡張フィールドを含んでいることを示しているか否かを判定し、示していると判定された場合、前記ＢＦ拡張フィールドを処理することと、
を備える方法。
【請求項３２】
前記ＢＦ拡張フィールドは、ＯＦＤＭ送信のトーン毎の信号対雑音比（ＳＮＲ）値を備える、請求項３１に記載の方法。
【請求項３３】
前記応答を送信したデバイスへのビームフォーミング送信を制御するために前記トーン毎のＳＮＲ値を利用することをさらに備える請求項３２に記載の方法。
【請求項３４】
前記ＢＦ拡張ビットは、前記フィードバック・レポート・フレームがＯＦＤＭ送信のトーン毎の信号対雑音比（ＳＮＲ）値を備えるＢＦ拡張フィールドを備えていることを示す、請求項３１に記載の方法。
【請求項３５】
前記フィードバックを求める要求は、マルチ・ユーザ（ＭＵ）タイプのフィードバックを求める要求を備える、請求項３１に記載の方法。
【請求項３６】
前記フィードバックを求める要求は、シングル・ユーザ（ＳＵ）タイプのフィードバックを求める要求を備える、請求項３１に記載の方法。
【請求項３７】
無線通信のための方法であって、
ビームフォームされている場合にパフォーマンスが低下する少なくとも１つの受信機を装置が備えていることを示すビットを備えるメッセージを生成することと、ここで、前記ビットは、複数入力複数出力（ＭＩＭＯ）制御フィールドのビットである、
前記メッセージを送信することと、
を備える方法。
【請求項３８】
前記ビットは、機能ビットである、請求項３７に記載の方法。
【請求項３９】
前記ビットは、前記メッセージを受信する送信デバイスに、前記装置に送信する際にビームフォーミング（ＢＦ）することを控えさせる、請求項３７に記載の方法。
【請求項４０】
前記受信機は、最大尤度（ＭＬ）受信機を備える、請求項３７に記載の方法。
【請求項４１】
少なくとも１つの受信機を前記装置が備えていることを示すビットを備える前記メッセージは、前記装置に送信する際にビームフォーミングを利用することを送信機にさせないようにするために生成される、請求項３７に記載の方法。
【請求項４２】
無線通信のための方法であって、
デバイスから、ビームフォームされている場合にパフォーマンスが低下する少なくとも１つの受信機を前記デバイスが備えていることを示すビットを備えるメッセージを受信することと、ここで、前記ビットは、複数入力複数出力（ＭＩＭＯ）制御フィールドのビットである、
前記ビットを検出することに応答して、前記デバイスに送信する際にビームフォーミング（ＢＦ）を控えることと、
を備える方法。
【請求項４３】
前記ビットは、機能ビットである、請求項４２に記載の方法。
【請求項４４】
前記メッセージを受信する前にビームフォーミングを用いて前記デバイスへ送信することをさらに備える請求項４２に記載の方法。
【請求項４５】
無線通信のための装置であって、
フィードバックを求める要求を受信する手段と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを生成する手段と、
前記フィードバック・レポート・フレームを送信する手段と、
を備える装置。
【請求項４６】
前記ＢＦ拡張フィールドは、ＯＦＤＭ送信のトーン毎の信号対雑音比（ＳＮＲ）値を備える、請求項４５に記載の装置。
【請求項４７】
シングル・ユーザ（ＳＵ）送信のみを受信することが可能な請求項４５に記載の装置。
【請求項４８】
前記ＢＦ拡張ビットが、前記装置がシングル・ユーザ（ＳＵ）送信のみを受信することが可能であることを示すインジケーションとして、非ＢＦ拡張フィールドを示す値に設定される、請求項４７に記載の装置。
【請求項４９】
前記ＢＦ拡張ビットが、前記フィードバック・レポート・フレームがＯＦＤＭ送信のトーン毎の信号対雑音比（ＳＮＲ）値を備えるＢＦ拡張フィールドを備えることを示すように設定される、請求項４５に記載の装置。
【請求項５０】
前記フィードバックを求める要求は、マルチ・ユーザ（ＭＵ）タイプのフィードバックを求める要求を備える、請求項４５に記載の装置。
【請求項５１】
前記ＢＦ拡張ビットは、前記フィードバックを求める要求がシングル・ユーザ（ＳＵ）タイプのフィードバックを求める要求を備えている場合、前記フィードバック・レポート・フレームがＢＦ拡張フィールドを含んでいないことを示す、請求項４５に記載の装置。
【請求項５２】
マルチ・ユーザ（ＭＵ）送信を受信することが可能な請求項５１に記載の装置。
【請求項５３】
無線通信のための装置であって、
フィードバックを求める要求を送信する手段と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを受信する手段と、
前記ＢＦ拡張ビットが前記フィードバック・レポート・フレームが前記ＢＦ拡張フィールドを含んでいることを示しているか否かを判定し、示していると判定された場合、前記ＢＦ拡張フィールドを処理する手段と、
を備える装置。
【請求項５４】
前記ＢＦ拡張フィールドは、ＯＦＤＭ送信のトーン毎の信号対雑音比（ＳＮＲ）値を備える、請求項５３に記載の装置。
【請求項５５】
前記応答を送信したデバイスへのビームフォーミング送信を制御するために前記トーン毎のＳＮＲ値を利用する手段をさらに備える請求項５４に記載の装置。
【請求項５６】
前記ＢＦ拡張ビットは、前記フィードバック・レポート・フレームがＯＦＤＭ送信のトーン毎の信号対雑音比（ＳＮＲ）値を備えるＢＦ拡張フィールドを備えていることを示す、請求項５３に記載の装置。
【請求項５７】
前記フィードバックを求める要求は、マルチ・ユーザ（ＭＵ）タイプのフィードバックを求める要求を備える、請求項５３に記載の装置。
【請求項５８】
前記フィードバックを求める要求は、シングル・ユーザ（ＳＵ）タイプのフィードバックを求める要求を備える、請求項５３に記載の装置。
【請求項５９】
無線通信のための装置であって、
ビームフォームされている場合にパフォーマンスが低下する少なくとも１つの受信機を前記装置が備えていることを示すビットを備えるメッセージを生成する手段と、ここで、前記ビットは、複数入力複数出力（ＭＩＭＯ）制御フィールドのビットである、
前記メッセージを送信する手段と、
を備える装置。
【請求項６０】
前記ビットは、機能ビットである、請求項５９に記載の装置。
【請求項６１】
前記ビットは、前記メッセージを受信する送信デバイスに、前記装置に送信する際にビームフォーミング（ＢＦ）することを控えさせる、請求項５９に記載の装置。
【請求項６２】
前記受信機は、最大尤度（ＭＬ）受信機を備える、請求項５９に記載の装置。
【請求項６３】
少なくとも１つの受信機を前記装置が備えていることを示すビットを備える前記メッセージは、前記装置に送信する際にビームフォーミングを利用することを送信機にさせないようにするために生成される、請求項５９に記載の装置。
【請求項６４】
無線通信のための装置であって、
デバイスから、ビームフォーミングされている場合にパフォーマンスが低下する少なくとも１つの受信機を前記デバイスが備えていることを示すビットを備えるメッセージを受信する手段と、ここで、前記ビットは、複数入力複数出力（ＭＩＭＯ）制御フィールドのビットである、
前記ビットを検出することに応答して、前記デバイスに送信する際にビームフォーミング（ＢＦ）を控える手段と、
を備える装置。
【請求項６５】
前記ビットは、機能ビットである、請求項６４に記載の装置。
【請求項６６】
前記メッセージを受信する前にビームフォーミングを用いて前記デバイスへ送信する手段をさらに備える請求項６４に記載の装置。
【請求項６７】
命令群を備えるコンピュータ読取可能な媒体を備える、無線通信のためのコンピュータ・プログラム製品であって、前記命令群は、
フィードバックを求める要求を受信し、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを生成し、
前記フィードバック・レポート・フレームを送信する、
ように実行可能である、コンピュータ・プログラム製品。
【請求項６８】
命令群を備えるコンピュータ読取可能な媒体を備える、無線通信のためのコンピュータ・プログラム製品であって、前記命令群は、
フィードバックを求める要求を送信し、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを受信し、
前記ＢＦ拡張ビットが前記フィードバック・レポート・フレームがＢＦ拡張フィールドを含んでいることを示しているか否かを判定し、示していると判定された場合、前記ＢＦ拡張フィールドを処理する、
ように実行可能である、コンピュータ・プログラム製品。
【請求項６９】
命令群を備えるコンピュータ読取可能な媒体を備える、無線通信のためのコンピュータ・プログラム製品であって、前記命令群は、
ビームフォームされている場合にパフォーマンスが低下する少なくとも１つの受信機を装置が備えていることを示すビットを備えるメッセージを生成し、ここで、前記ビットは、複数入力複数出力（ＭＩＭＯ）制御フィールドのビットである、
前記メッセージを送信する、
ように実行可能である、コンピュータ・プログラム製品。
【請求項７０】
命令群を備えるコンピュータ読取可能な媒体を備える、無線通信のためのコンピュータ・プログラム製品であって、前記命令群は、
デバイスから、ビームフォームされている場合にパフォーマンスが低下する少なくとも１つの受信機を前記デバイスが備えていることを示すビットを備えるメッセージを受信し、ここで、前記ビットは、複数入力複数出力（ＭＩＭＯ）制御フィールドのビットである、
前記ビットを検出することに応答して、前記デバイスに送信する際にビームフォーミング（ＢＦ）を控える、
ように実行可能である、コンピュータ・プログラム製品。
【請求項７１】
アクセス端末であって、
少なくとも１つのアンテナと、
フィードバックを求める要求を前記少なくとも１つのアンテナを介して受信するように構成された受信機と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備えるアクセス端末。
【請求項７２】
アクセス・ポイントであって、
少なくとも１つのアンテナと、
フィードバックを求める要求を前記少なくとも１つのアンテナを介して送信するように構成された送信機と、
前記フィードバックを求める要求に応答して、フィードバック・レポート・フレームがビームフォーミング（ＢＦ）拡張フィールドを含んでいるか否かを示すＢＦ拡張ビットを有する複数入力複数出力（ＭＩＭＯ）制御フィールドを備えた前記フィードバック・レポート・フレームを受信するように構成された受信機と、
前記ＢＦ拡張ビットが前記フィードバック・レポート・フレームがＢＦ拡張フィールドを含んでいることを示しているか否かを判定し、示していると判定された場合、前記ＢＦ拡張フィールドを処理するように構成された回路と、
を備えるアクセス・ポイント。
【請求項７３】
アクセス端末であって、
少なくとも１つのアンテナと、
ビームフォームされている場合にパフォーマンスが低下する少なくとも１つの受信機を前記装置が備えていることを示すビットを備えるメッセージを生成するように構成された回路と、
前記少なくとも１つのアンテナを介して前記メッセージを送信するように構成された送信機と、
を備えるアクセス端末。
【請求項７４】
アクセス・ポイントであって、
少なくとも１つのアンテナと、
デバイスから、ビームフォームされている場合にパフォーマンスが低下する少なくとも１つの受信機を前記デバイスが備えていることを示すビットを備えるメッセージを前記少なくとも１つのアンテナを介して受信するように構成された受信機と、ここで、前記ビットは、複数入力複数出力（ＭＩＭＯ）制御フィールドのビットである、
前記ビットを検出することに応答して、前記デバイスに送信する際にビームフォーミング（ＢＦ）を控えるように構成された回路と、
を備えるアクセス・ポイント。
【手続補正２】
【補正対象書類名】明細書
【補正対象項目名】００８２
【補正方法】変更
【補正の内容】
【００８２】
前述したものは、本開示の態様に向けられているが、これら開示のその他およびさらなる態様が、本願の基本的な範囲から逸脱することなく考案され、この範囲は、以下に示す特許請求の範囲によって決定される。
なお、以下に、出願当初の特許請求の範囲に記載された発明を付記する。
［発明１］無線通信のための装置であって、
フィードバックを求める要求を受信するように構成された受信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備える装置。
［発明２］前記ＢＦ拡張フィールドは、トーン毎の信号対雑音比（ＳＮＲ）値を備える、発明１に記載の装置。
［発明３］シングル・ユーザ（ＳＵ）送信のみを受信することが可能な発明１に記載の装置。
［発明４］前記回路は、前記装置がシングル・ユーザ（ＳＵ）送信のみを受信することが可能であることを示すインジケーションとして、前記ＢＦ拡張ビットを、非ＢＦ拡張フィールドを示す値に設定するように構成された、発明３に記載の装置。
［発明５］前記装置は、前記フィードバック・レポート・フレームが、トーン毎の信号対雑音比（ＳＮＲ）値を備えるＢＦ拡張フィールドを備えることを示すように、前記少なくとも１つのＢＦ拡張ビットを設定するように構成された、発明１に記載の装置。
［発明６］前記フィードバックを求める要求は、マルチ・ユーザ（ＭＵ）タイプのフィードバックを備える、発明１に記載の装置。
［発明７］前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、発明１に記載の装置。
［発明８］マルチ・ユーザ（ＭＵ）送信を受信することが可能な発明７に記載の装置。
［発明９］無線通信のための装置であって、
フィードバックを求める要求を送信するように構成された送信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信するように構成された受信機と、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理するように構成された回路と、
を備える装置。
［発明１０］前記ＢＦ拡張フィールドは、トーン毎の信号対雑音比（ＳＮＲ）値を備える、発明９に記載の装置。
［発明１１］前記回路はさらに、前記応答を送信したデバイスへのビームフォーミング送信を制御するために、前記トーン毎のＳＮＲ値を利用するように構成された、発明１０に記載の装置。
［発明１２］前記少なくとも１つのＢＦ拡張ビットは、前記フィードバック・レポート・フレームが、トーン毎の信号対雑音比（ＳＮＲ）値を備えるＢＦ拡張フィールドを備えていることを示す、発明９に記載の装置。
［発明１３］前記フィードバックを求める要求は、マルチ・ユーザ（ＭＵ）タイプのフィードバックを備える、発明９に記載の装置。
［発明１４］前記フィードバックを求める要求は、シングル・ユーザ（ＳＵ）タイプのフィードバックを備える、発明９に記載の装置。
［発明１５］無線通信のための装置であって、
ビームフォームされている場合にパフォーマンスが低下する少なくとも１つの受信機を、前記装置が備えていることを示す、少なくとも１つのビットを備えるメッセージを生成するように構成された回路と、
前記メッセージを送信するように構成された送信機と、
を備える装置。
［発明１６］前記少なくとも１つのビットは、機能ビットを備える、発明１５に記載の装置。
［発明１７］前記少なくとも１つのビットは、複数入力複数出力（ＭＩＭＯ）制御フィールドのビットを備える、発明１５に記載の装置。
［発明１８］前記装置へ送信している場合、前記少なくとも１つのビットは、前記メッセージを受信した送信元のデバイスに対して、ビームフォーミング（ＢＦ）を控えさせる、発明１５に記載の装置。
［発明１９］前記受信機は、最大尤度（ＭＬ）受信機を備える、発明１５に記載の装置。
［発明２０］前記回路は、前記装置へ送信している場合、送信機に対して、ビームフォーミングを利用することをやめさせるための少なくとも１つの受信機を前記装置が備えていることを示す、少なくとも１つのビットを備えるメッセージを生成するように構成された、発明１５に記載の装置。
［発明２１］無線通信のための装置であって、
ビームフォームされている場合にパフォーマンスが低下する少なくとも１つの受信機を、デバイスが備えていることを示す、少なくとも１つのビットを備えるメッセージを、前記デバイスから受信するように構成された受信機と、
前記ビットを検出することに応じて、前記デバイスへ送信する場合に、ビームフォーミング（ＢＦ）を控えるように構成された回路と、
を備える装置。
［発明２２］前記少なくとも１つのビットは、機能ビットを備える、発明２１に記載の装置。
［発明２３］前記少なくとも１つのビットは、複数入力複数出力（ＭＩＭＯ）制御フィールドのビットを備える、発明２１に記載の装置。
［発明２４］前記メッセージを受信する前に、ビームフォーミングを用いて前記デバイスへ送信するように構成された、発明２１に記載の装置。
［発明２５］無線通信のための方法であって、
フィードバックを求める要求を受信することと、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成することと、
前記フィードバック・レポート・フレームを送信することと、
を備える方法。
［発明２６］前記ＢＦ拡張フィールドは、トーン毎の信号対雑音比（ＳＮＲ）値を備える、発明２５に記載の方法。
［発明２７］シングル・ユーザ（ＳＵ）送信のみを受信することが可能な動作を実行する発明２５に記載の方法。
［発明２８］前記装置がシングル・ユーザ（ＳＵ）送信のみを受信することが可能であることを示すインジケーションとして、前記ＢＦ拡張ビットが、非ＢＦ拡張フィールドを示す値に設定される、発明２７に記載の方法。
［発明２９］前記フィードバック・レポート・フレームが、トーン毎の信号対雑音比（ＳＮＲ）値を備えるＢＦ拡張フィールドを備えることを示すように、前記ＢＦ拡張ビットが設定される、発明２５に記載の方法。
［発明３０］前記フィードバックを求める要求は、マルチ・ユーザ（ＭＵ）タイプのフィードバックを備える、発明２５に記載の方法。
［発明３１］前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、発明２５に記載の方法。
［発明３２］マルチ・ユーザ（ＭＵ）送信を受信することが可能な方法を実行する、発明３１に記載の方法。
［発明３３］無線通信のための方法であって、
フィードバックを求める要求を送信することと、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信することと、
前記フィードバック・レポート・フレームが前記ＢＦ拡張フィールドを含んでいることを、前記少なくとも１つのＢＦ拡張ビットが示しているか否かを判定し、示していると判定された場合、前記ＢＦ拡張フィールドを処理することと、
を備える方法。
［発明３４］前記ＢＦ拡張フィールドは、トーン毎の信号対雑音比（ＳＮＲ）値を備える、発明３３に記載の方法。
［発明３５］前記応答を送信したデバイスへのビームフォーミング送信を制御するために、前記トーン毎のＳＮＲ値を利用すること、をさらに備える発明３４に記載の方法。
［発明３６］前記少なくとも１つのＢＦ拡張ビットは、前記フィードバック・レポート・フレームが、トーン毎の信号対雑音比（ＳＮＲ）値を備えるＢＦ拡張フィールドを備えていることを示す、発明３３に記載の方法。
［発明３７］前記フィードバックを求める要求は、マルチ・ユーザ（ＭＵ）タイプのフィードバックを備える、発明３３に記載の方法。
［発明３８］前記フィードバックを求める要求は、シングル・ユーザ（ＳＵ）タイプのフィードバックを備える、発明３３に記載の方法。
［発明３９］無線通信のための方法であって、
ビームフォームされている場合にパフォーマンスが低下する少なくとも１つの受信機を、装置が備えていることを示す、少なくとも１つのビットを備えるメッセージを生成することと、
前記メッセージを送信することと、
を備える方法。
［発明４０］前記少なくとも１つのビットは、機能ビットを備える、発明３９に記載の方法。
［発明４１］前記少なくとも１つのビットは、複数入力複数出力（ＭＩＭＯ）制御フィールドのビットを備える、発明３９に記載の方法。
［発明４２］前記装置へ送信している場合、前記少なくとも１つのビットは、前記メッセージを受信した送信元のデバイスに対して、ビームフォーミング（ＢＦ）を控えさせる、発明３９に記載の方法。
［発明４３］前記受信機は、最大尤度（ＭＬ）受信機を備える、発明３９に記載の方法。
［発明４４］前記装置へ送信している場合、送信機に対して、ビームフォーミングを利用することをやめさせるために、少なくとも１つの受信機を前記装置が備えていることを示す、少なくとも１つのビットを備えるメッセージが生成される、発明３９に記載の方法。
［発明４５］無線通信のための方法であって、
ビームフォームされている場合にパフォーマンスが低下する少なくとも１つの受信機を、デバイスが備えていることを示す、少なくとも１つのビットを備えるメッセージを、前記デバイスから受信することと、
前記ビットを検出することに応じて、前記デバイスに送信する場合に、ビームフォーミング（ＢＦ）を控えることと、
を備える方法。
［発明４６］前記少なくとも１つのビットは、機能ビットを備える、発明４５に記載の方法。
［発明４７］前記少なくとも１つのビットは、複数入力複数出力（ＭＩＭＯ）制御フィールドのビットを備える、発明４５に記載の方法。
［発明４８］前記メッセージを受信する前に、ビームフォーミングを用いて前記デバイスへ送信すること、をさらに備える発明４５に記載の方法。
［発明４９］無線通信のための装置であって、
フィードバックを求める要求を受信する手段と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成する手段と、
前記フィードバック・レポート・フレームを送信する手段と、
を備える装置。
［発明５０］前記ＢＦ拡張フィールドは、トーン毎の信号対雑音比（ＳＮＲ）値を備える、発明４９に記載の装置。
［発明５１］シングル・ユーザ（ＳＵ）送信のみを受信することが可能な発明４９に記載の装置。
［発明５２］前記装置がシングル・ユーザ（ＳＵ）送信のみを受信することが可能であることを示すインジケーションとして、前記ＢＦ拡張ビットが、非ＢＦ拡張フィールドを示す値に設定される、発明５１に記載の装置。
［発明５３］前記フィードバック・レポート・フレームが、トーン毎の信号対雑音比（ＳＮＲ）値を備えるＢＦ拡張フィールドを備えることを示すように、前記ＢＦ拡張ビットが設定される、発明４９に記載の装置。
［発明５４］前記フィードバックを求める要求は、マルチ・ユーザ（ＭＵ）タイプのフィードバックを備える、発明４９に記載の装置。
［発明５５］前記フィードバックを求める要求が、シングル・ユーザ（ＳＵ）タイプのフィードバックを求める要求を備えている場合、前記ＢＦ拡張ビットは、前記フィードバック・レポート・フレームが、ＢＦ拡張フィールドを含んでいないことを示す、発明４９に記載の装置。
［発明５６］マルチ・ユーザ（ＭＵ）送信を受信することが可能な発明５５に記載の装置。
［発明５７］無線通信のための装置であって、
フィードバックを求める要求を送信する手段と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信する手段と、
前記フィードバック・レポート・フレームが前記ＢＦ拡張フィールドを含んでいることを、前記少なくとも１つのＢＦ拡張ビットが示しているか否かを判定し、示していると判定された場合、前記ＢＦ拡張フィールドを処理する手段と、
を備える装置。
［発明５８］前記ＢＦ拡張フィールドは、トーン毎の信号対雑音比（ＳＮＲ）値を備える、発明５７に記載の装置。
［発明５９］前記応答を送信したデバイスへのビームフォーミング送信を制御するために、前記トーン毎のＳＮＲ値を利用する手段、をさらに備える発明５８に記載の装置。
［発明６０］前記少なくとも１つのＢＦ拡張ビットは、前記フィードバック・レポート・フレームが、トーン毎の信号対雑音比（ＳＮＲ）値を備えるＢＦ拡張フィールドを備えていることを示す、発明５７に記載の装置。
［発明６１］前記フィードバックを求める要求は、マルチ・ユーザ（ＭＵ）タイプのフィードバックを備える、発明５７に記載の装置。
［発明６２］前記フィードバックを求める要求は、シングル・ユーザ（ＳＵ）タイプのフィードバックを備える、発明５７に記載の装置。
［発明６３］無線通信のための装置であって、
ビームフォームされている場合にパフォーマンスが低下する少なくとも１つの受信機を、前記装置が備えていることを示す、少なくとも１つのビットを備えるメッセージを生成する手段と、
前記メッセージを送信する手段と、
を備える装置。
［発明６４］前記少なくとも１つのビットは、機能ビットを備える、発明６３に記載の装置。
［発明６５］前記少なくとも１つのビットは、複数入力複数出力（ＭＩＭＯ）制御フィールドのビットを備える、発明６３に記載の装置。
［発明６６］前記装置へ送信している場合、前記少なくとも１つのビットは、前記メッセージを受信した送信元のデバイスに対して、ビームフォーミング（ＢＦ）を控えさせる、発明６３に記載の装置。
［発明６７］前記受信機は、最大尤度（ＭＬ）受信機を備える、発明６３に記載の装置。
［発明６８］前記装置へ送信している場合、送信機に対して、ビームフォーミングを利用することをやめさせるために、少なくとも１つの受信機を前記装置が備えていることを示す、少なくとも１つのビットを備えるメッセージが生成される、発明６３に記載の装置。
［発明６９］無線通信のための装置であって、
ビームフォームされている場合にパフォーマンスが低下する少なくとも１つの受信機を、デバイスが備えていることを示す、少なくとも１つのビットを備えるメッセージを前記デバイスから受信する手段と、
前記ビットを検出することに応じて、前記デバイスに送信する場合に、ビームフォーミング（ＢＦ）を控える手段と、
を備える装置。
［発明７０］前記少なくとも１つのビットは、機能ビットを備える、発明６９に記載の装置。
［発明７１］前記少なくとも１つのビットは、複数入力複数出力（ＭＩＭＯ）制御フィールドのビットを備える、発明６９に記載の装置。
［発明７２］前記メッセージを受信する前に、ビームフォーミングを用いて前記デバイスへ送信する手段、をさらに備える発明６９に記載の装置。
［発明７３］無線通信のためのコンピュータ・プログラム製品であって、
フィードバックを求める要求を受信し、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成し、
前記フィードバック・レポート・フレームを送信する、
ように実行可能な命令群を備えるコンピュータ読取可能な媒体を備える、コンピュータ・プログラム製品。
［発明７４］無線通信のためのコンピュータ・プログラム製品であって、
フィードバックを求める要求を送信し、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信し、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理する、
ように実行可能な命令群を備えるコンピュータ読取可能な媒体を備える、コンピュータ・プログラム製品。
［発明７５］無線通信のためのコンピュータ・プログラム製品であって、
ビームフォームされている場合にパフォーマンスが低下する少なくとも１つの受信機を、この装置が備えていることを示す、少なくとも１つのビットを備えるメッセージを生成し、
前記メッセージを送信する、
ように実行可能な命令群を備えるコンピュータ読取可能な媒体を備える、コンピュータ・プログラム製品。
［発明７６］無線通信のためのコンピュータ・プログラム製品であって、
ビームフォームされている場合にパフォーマンスが低下する少なくとも１つの受信機を、デバイスが備えていることを示す、少なくとも１つのビットを備えるメッセージを前記デバイスから受信し、
前記ビットを検出することに応じて、前記デバイスに送信する場合に、ビームフォーミング（ＢＦ）を控える、
ように実行可能な命令群を備えるコンピュータ読取可能な媒体を備える、コンピュータ・プログラム製品。
［発明７７］アクセス端末であって、
少なくとも１つのアンテナと、
フィードバックを求める要求を、前記少なくとも１つのアンテナを介して受信するように構成された受信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを生成するように構成された回路と、
前記フィードバック・レポート・フレームを送信するように構成された送信機と、
を備えるアクセス端末。
［発明７８］アクセス・ポイントであって、
少なくとも１つのアンテナと、
フィードバックを求める要求を、前記少なくとも１つのアンテナを介して送信するように構成された送信機と、
前記フィードバックを求める要求に応じて、フィードバック・レポート・フレームがビームフォーミング（ＢＦ）拡張フィールドを含んでいるか否かを示す少なくとも１つのＢＦ拡張ビットを有する複数入力複数出力（ＭＩＭＯ）制御フィールドを備えた前記フィードバック・レポート・フレームを受信するように構成された受信機と、
前記フィードバック・レポート・フレームがＢＦ拡張フィールドを含んでいることを、前記少なくとも１つのＢＦ拡張ビットが示しているか否かを判定し、示していると判定された場合、前記ＢＦ拡張フィールドを処理するように構成された回路と、
を備えるアクセス・ポイント。
［発明７９］アクセス端末であって、
少なくとも１つのアンテナと、
ビームフォームされている場合にパフォーマンスが低下する少なくとも１つの受信機を、前記装置が備えていることを示す、少なくとも１つのビットを備えるメッセージを生成するように構成された回路と、
前記少なくとも１つのアンテナを介して前記メッセージを送信するように構成された送信機と、
を備えるアクセス端末。
［発明８０］アクセス・ポイントであって、
少なくとも１つのアンテナと、
ビームフォームされている場合にパフォーマンスが低下する少なくとも１つの受信機を、デバイスが備えていることを示す、少なくとも１つのビットを備えるメッセージを、前記少なくとも１つのアンテナを介して、前記デバイスから受信するように構成された受信機と、
前記ビットを検出することに応じて、前記デバイスへ送信する場合に、ビームフォーミング（ＢＦ）を控えるように構成された回路と、
を備えるアクセス・ポイント。
【国際調査報告】
2013543351.tif 000016
2013543351.tif 000017
2013543351.tif 000018
2013543351.tif 000019
2013543351.tif 000020
2013543351.tif 000021